(57)【要約】【課題】ジャム処理等のメンテナンス作業に伴う上部ユニットの開放時に、排紙トレイからの原稿の落下や排紙トレイの周囲への原稿の散乱を防止して、使い勝手の良い画像読取装置を提供する。【解決手段】この画像読取装置１は、下部ユニット３と、該下部ユニット３に対して開閉回動自在に支持され、閉回動時に下部ユニット３との間に原稿の搬送路２を形成する上部ユニット４と、上部ユニット４に回動自在に支持され、搬送路２から排出された原稿が積載される排紙トレイ６と、上部ユニット４を開回動させて搬送路を開放する際に、上部ユニット４の開回動動作に連動させて排紙トレイ６を上部ユニット４に近づく方向に回動させる連動機構６ａ，６ｂ，３ａとを備える。【選択図】図２
2008265887.tif 000002
【特許請求の範囲】
【請求項１】
下部ユニットと、該下部ユニットに対して開閉回動自在に支持され、閉回動時に前記下部ユニットとの間に原稿の搬送路を形成する上部ユニットと、前記下部ユニットおよび前記上部ユニットのいずれか一方に回動自在に支持され、前記搬送路から排出された原稿が積載される排紙トレイと、を備える画像読取装置において、
前記上部ユニットを開回動させて前記搬送路を開放する際に、該上部ユニットの開回動動作に連動させて前記排紙トレイを前記上部ユニットに近づく方向に回動させる連動機構を備える、ことを特徴とする画像読取装置。
【請求項２】
前記上部ユニットは、前記搬送路に対して略平行配置された操作部および表示部を有し、該搬送路は、上流側から下流側に向けて下方に傾斜して配置される、ことを特徴とする請求項１に記載の画像読取装置。
【請求項３】
前記操作部はタッチパネルであり、該タッチパネルを前記表示部の上に重ねて操作表示部を構成したことを特徴とする請求項２に記載の画像読取装置。
【請求項４】
前記連動機構は、前記上部ユニットを開回動させて前記搬送路を開放する際に、該上部ユニットの開回動動作に連動させて前記排紙トレイを前記上部ユニットの少なくとも前記操作部を覆う位置まで回動させる、ことを特徴とする請求項２又は３に記載の画像読取装置。
【発明の詳細な説明】
【技術分野】
【０００１】
本発明は、搬送路の排紙口に排紙トレイを備えた画像読取装置に関する。
【背景技術】
【０００２】
従来のこの種の画像読取装置としては、例えば図７に示すものがある。
【０００３】
この画像読取装置１は、図７に示すように、下部ユニット３と、該下部ユニット３に対してヒンジ７を介して開閉回動自在に支持され、閉回動時に下部ユニット３との間に原稿Ｐの搬送路２を形成する上部ユニット４とを備える。
【０００４】
下部ユニット３には、搬送路２の給紙口に給紙される原稿を積載する給紙トレイ５と、搬送路２の排出口から排紙された原稿を積載する排紙トレイ６とが設けられている。搬送路２は、上流側（給紙トレイ５側）から下流側（排紙トレイ６側）に向けて下方に傾斜して直線状に配置されている。
【０００５】
搬送路２には、給送ローラ８、分離ローラ９、搬送ローラ対１０、および排紙ローラ対１１が配設されている。搬送ローラ対１０と排紙ローラ対１１との間には、密着型イメージセンサ等からなる画像読取部１２、および画像読取部１３が配設されている。
【０００６】
給紙トレイ５に表面を下向きにしてセットされた原稿Ｐは、給送ローラ８と分離ローラ９とによって１枚ずつ分離、給送され、搬送ローラ対１０へ到達する。更に、原稿Ｐは、搬送ローラ対１０によって一定速度で画像読取部１２、および画像読取部１３へ搬送され、まず、上側の画像読取部１２で裏面の画像が読み取られ、続いて下側の画像読取部１３で表面の画像が読み取られる。
【０００７】
その後、原稿Ｐは排紙ローラ対１１により排紙トレイ６上に排紙される。２枚目以降の原稿Ｐについても、同様の動作がなされ、原稿Ｐは給紙トレイ２にセットされたときと同一の順序で排紙トレイ６に排紙されて積載される。
【０００８】
原稿Ｐが搬送路２で紙詰まり（ジャム）を起こした場合、或いは画像読取部１２，１３や給送ローラ８、分離ローラ９、搬送ローラ対１０等が汚れた場合には、上部ユニット４をヒンジ７を支点に図の矢印Ａ方向に開回動させて搬送路２を開放することにより、原稿Ｐのジャム処理或いは各種ローラ等の清掃を容易に行うことが出来る。
【０００９】
また、排紙トレイ６は、支軸６ａを支点に回動自在に搬送路２の排紙口近傍に支持され、装置１を使用しないときは、矢印Ｂ方向に回動させることにより、上部ユニット４側に折り畳まれて収納位置に配置される（特許文献１参照）。
【特許文献１】特開２００１−２６１２１３号公報
【発明の開示】
【発明が解決しようとする課題】
【００１０】
しかし、上記従来の画像読取装置では、紙詰まり処理或いは各種ローラ等の清掃、メンテナンス作業を行う為に、上部ユニット４を回動させて搬送路２を開放した際に、紙詰まりを起こした原稿や給紙トレイ５にセットされている原稿が搬送路２に沿って下流側に滑り落ちる場合がある。
【００１１】
この場合、滑り落ちた原稿が排紙トレイ６で受けきれずに排紙トレイ６から落下してしまい、周囲に散乱してしまうという問題が生じる。
【００１２】
また、上部ユニット４にスイッチ等の操作部やタッチパネル付き液晶パネル等の操作表示部を備えた画像読取装置では、装置１の電源を入れたまま、上部ユニット４を回動させて搬送路２を開放して、紙詰まり処理等のメンテナンス作業を行う際に、ユーザーが作業中に誤ってこれらの操作ボタンやタッチパネルに触ってしまう場合がある。
【００１３】
この場合、気が付かないうちに設定やモードが変わってしまい、誤操作や誤動作の要因となる虞れがある。
【００１４】
そこで、本発明は、搬送路の開放時に、排紙トレイから原稿が落下して散乱するのを確実に防止することができる画像読取装置を提供することを目的とする。
【００１５】
また、本発明は、誤操作や誤動作を防止することができる画像読取装置を提供することを目的とする。
【課題を解決するための手段】
【００１６】
上記目的を達成するために、請求項１に係る発明は、下部ユニットと、該下部ユニットに対して開閉回動自在に支持され、閉回動時に前記下部ユニットとの間に原稿の搬送路を形成する上部ユニットと、前記下部ユニットおよび前記上部ユニットのいずれか一方に回動自在に支持され、前記搬送路から排出された原稿が積載される排紙トレイと、を備える画像読取装置において、前記上部ユニットを開回動させて前記搬送路を開放する際に、該上部ユニットの開回動動作に連動させて前記排紙トレイを前記上部ユニットに近づく方向に回動させる連動機構を備える、ことを特徴とする。
【００１７】
請求項２に係る発明は、請求項１において、前記上部ユニットは、前記搬送路に対して略平行配置された操作部および表示部を有し、該搬送路は、上流側から下流側に向けて下方に傾斜して配置される、ことを特徴とする。
【００１８】
請求項３に係る発明は、請求項２において、前記操作部はタッチパネルであり、該タッチパネルを前記表示部の上に重ねて操作表示部を構成したことを特徴とする。
【００１９】
請求項４に係る発明は、請求項２又は３において、前記連動機構は、前記上部ユニットを開回動させて前記搬送路を開放する際に、該上部ユニットの開回動動作に連動させて前記排紙トレイを前記上部ユニットの少なくとも前記操作部を覆う位置まで回動させる、ことを特徴とする。
【発明の効果】
【００２０】
本発明によれば、上部ユニットを開回動させて搬送路を開放する際に、上部ユニットの開回動動作に連動して排紙トレイが上部ユニットに近づく方向に回動するので、紙詰まりを起こした原稿や給紙部にセットされている原稿が搬送路に沿って滑り落ちた場合でも、排紙トレイによって受け止めることが可能となり、原稿の落下や散乱を防止することが出来る。
【００２１】
また、排紙トレイが上部ユニットに近づく方向に回動することで、装置の手前側にスペースが生じるので、紙詰まり処理等のメンテナンス作業がし易くなる。
【００２２】
更に、上部ユニットを開回動させて搬送路を開放する際に、該上部ユニットの開回動動作に連動させて排紙トレイを上部ユニットに設けた操作部を覆う位置まで回動させることで、紙詰まり処理等のメンテナンス作業時に、ユーザーが誤って操作部に触れることが回避され、装置の誤操作や誤動作を防止することが出来る。
【発明を実施するための最良の形態】
【００２３】
以下、本発明の実施の形態を図を参照して説明する。
【００２４】
なお、既に図７で説明した従来の画像読取装置に対して重複又は相当する部分については、各図に同一符号を付してその説明を省略又は簡略化する。
【００２５】
（第１の実施形態）
図１は本発明の第１の実施形態である画像読取装置を説明するための概略断面図、図２は図１に示す画像読取装置の上部ユニットを開回動させて搬送路を開放した状態を示す概略断面図である。
【００２６】
図１および図２に示すように、本実施形態の画像読取装置１は、下部ユニット３と、該下部ユニット３に対してヒンジ７を介して開閉回動自在に支持され、閉回動時に下部ユニット３との間に原稿Ｐの搬送路２を形成する上部ユニット４とを備える。
【００２７】
下部ユニット３には、搬送路２の給紙口に給紙される原稿を積載する給紙トレイ５と、搬送路２の排出口から排紙された原稿を積載する排紙トレイ６とが設けられている。搬送路２は、上流側（給紙トレイ５側）から下流側（排紙トレイ６側）に向けて下方に傾斜して直線状に配置されている。
【００２８】
また、排紙トレイ６の基部には、原稿Ｐの幅方向の左右両端部にアーム部６ｂが形成されており、該アーム部６ｂが上部ユニット４のヒンジ７の下側近傍に距離Ｃだけオフセットして設けられた回転軸６ａを支点として上部ユニット４に対して回動自在に支持されている。
【００２９】
そして、図１において、排紙トレイ６を使用しないときは、排紙トレイ６を上部ユニット４の前面側に回動させて、該上部ユニット４の前面を覆い、収納状態となる（図１の破線参照）。
【００３０】
一方、排紙トレイ６を使用するときは、収納状態から開く方向に回動させることにより、排紙トレイ６のアーム部６ｂが下部ユニット３の前端部３ａに当接し、これにより、排紙トレイ６が装置１に支持される。
【００３１】
かかる支持状態においては、排紙トレイ６は、搬送路２の排出口から排出される原稿に対して適切な積載性と整列性を確保出来る角度になるように配置される。
【００３２】
また、本実施形態では、図２に示すように、上部ユニット４を開回動させて搬送路２を開放する際に、連動機構が上部ユニット４の開回動動作に連動させて排紙トレイ６を上部ユニット４に近づく方向に回動させる。
【００３３】
ここで、本実施形態では、下部ユニット３の前端部３ａ、排紙トレイ６のアーム部６ｂおよび回動軸６ａによって本発明の連動機構を構成している。
【００３４】
図３を参照して、連動機構について説明する。図３において、位置Ｅは上部ユニット４を開回動させる前の排紙トレイ６の位置を示し、位置Ｆは上部ユニット４を開回動させたときの排紙トレイ６の位置を示す。
【００３５】
上部ユニット４を開回動させて搬送路２を開放した場合には、排紙トレイ６の回転軸６ａの位置は上部ユニット４とともにヒンジ７を中心に角度θだけ回動し、位置６１ａに移動する。
【００３６】
このとき、排紙トレイ６のアーム部６ｂが下部ユニット３の前端部３ａに当接しているので、上部ユニット４の開回動動作に連動して、アーム部６ｂが前端部３ａに押されることになる。
【００３７】
その結果、排紙トレイ６が回転軸６ａを支点に上部ユニット４側に近づく方向に回動して回転軸６ａが位置６１ａに移動し、アーム部６ｂと下部ユニット３の前端部３ａとの当接位置が変化してアーム部６ｂが位置６１ｂに移動することにより、排紙トレイ６が位置Ｆに移動する。
【００３８】
以上説明したように、本実施形態では、原稿を給紙トレイ５にセットしたまま、紙詰まり処理やメンテナンス作業の為に上部ユニット４を開回動させて搬送路２を開放した際に、上部ユニット４の開回動動作に連動して排紙トレイ６が上部ユニット４に近づく方向に回動して排紙トレイ６の原稿の積載面の角度が上向きに変化する。
【００３９】
これにより、紙詰まり処理やメンテナンス作業の為に上部ユニット４を開回動させて搬送路２を開放した際に紙詰まりを起こした原稿や給紙トレイ５にセットされている原稿が搬送路２に沿って勢いよく滑り落ちた場合でも、排紙トレイ６によって原稿Ｐ１（図２参照）を受け止めることが可能となり、原稿Ｐ１が排紙トレイ６から落下して散乱するのを確実に防止することが出来る。
【００４０】
また、排紙トレイ６が上部ユニット４に近づく方向に回動することで、装置１の手前側にスペースが生じるので、紙詰まり処理等のメンテナンス作業がし易くなる。
【００４１】
（第２の実施形態）
次に、図４〜図６を参照して、本発明の第２の実施形態である画像読取装置について説明する。
【００４２】
図４は本発明の第２の実施形態である画像読取装置を説明するための外観斜視図、図５は図４に示す画像読取装置の上部ユニットを開回動させて搬送路を開放した状態を示す外観斜視図、図６は図５の状態での画像読取装置の概略断面図である。
【００４３】
なお、上記第１の実施形態に対して重複又は相当する部分については、各図に同一符号を付してその説明を省略又は簡略化する。
【００４４】
本実施形態の画像読取装置４は、上部ユニット４の前面に液晶パネル（表示部）１４が取り付けられ、液晶パネル１４の上面にはタッチパネル（操作部）１５が設置されている。なお、液晶パネルは有機ＥＬパネル等の他の表示デバイスに置き換えてもよい。
【００４５】
本実施形態では、液晶パネル１４とタッチパネル１５とによって本発明の操作表示部を構成する。
【００４６】
液晶パネル１４は、画像読取部１２，１３で読み取った画像を表示したり、読取モードの設定や各種設定に用いる設定画面を表示したりすることが可能であり、タッチパネル１５によって各種設定項目を入力することが可能である。
【００４７】
また、液晶パネル１４およびタッチパネル１５は、搬送路２と略平行となるように手前側へ傾けて配置されている。従って、上部ユニット４の閉状態時には、装置１の前面側から各種設定操作を行うことを容易にするとともに、読み取った画像の実寸表示が不自然にならないほどの大きさを持つ大画面表示パネルとすることも可能である。
【００４８】
上部ユニット４には、ギア部１６がヒンジ７と同軸の位置に固定された状態で支持されている。一方、排紙トレイ６のアーム部６ｂには、ギア部１７が回転軸６ａと同軸の位置に支持されている。
【００４９】
排紙トレイ６のアーム部６ｂは、回転軸６ａを介して下部ユニット３の排紙位置近傍に回動自在に支持されている。
【００５０】
かかる支持状態においては、排紙トレイ６のギア部１７は、上部ユニット４のギア部１６に噛合している。
【００５１】
ここで、本実施形態では、ギア部１６およびギア部１７によって本発明の連動機構を構成している。
【００５２】
そして、図６を参照して、紙詰まり処理やメンテナンス作業の為に上部ユニット４を開回動させると、それに連動してギア部１６がヒンジ７を支点に反時計方向に回転するので、ギア部１６に噛み合う排紙トレイ６側のギア部１７が時計方向に回転する。
【００５３】
これに連動して、排紙トレイ６が、上部ユニット４の前面側のタッチパネル１５に近づく方向に図６の破線の位置から実線の位置に回動し、該タッチパネル１５を覆う位置に保持される。なお、本実施形態では、上部ユニット４の閉状態時において排紙トレイ６の開閉を自由にするため、ギア部１７は排紙トレイ６に対して所定の角度だけ空転可能に支持される。この場合、ギア部１６が上部ユニット４に対して所定の角度だけ空転可能に支持されるようにしてもよく、また、両方のギア部１６，１７が所定の角度だけ空転可能に支持されるようにしてもよい。
【００５４】
以上説明したように、本実施形態では、上部ユニット４を開回動させて搬送路２を開放する際に、上部ユニット４の開回動動作に連動して排紙トレイ６を上部ユニット４の前面に設けたタッチパネル１５を覆う位置まで回動する。
【００５５】
これにより、紙詰まり処理等のメンテナンス作業時に、ユーザーが誤ってタッチパネル１５に触れることを防止することができ、装置の誤操作や誤動作を防ぐことができる。
【００５６】
また、上部ユニット４の開回動動作に連動して排紙トレイ６が回動して上部ユニット４の前面側に当接する場合は、該当接により搬送路２を開放する方向への上部ユニット４の回動範囲を制限できるので、上部ユニット４の回動範囲を制限する部材等を設けなくてすむ。
【００５７】
更に、搬送路２と略平行となるように、表示部である液晶パネル１４を配置しているので、より大きい画面の液晶パネル１４を装置の小型化を阻害せずに設けることができる。
【００５８】
なお、本実施形態の連動機構に代えて、上記第１の実施形態の連動機構を適用した場合にも同様の作用効果を得ることができる。その他の構成および作用効果は、上記第１の実施形態と同様である。
【００５９】
本発明は上記各実施形態に例示したものに限定されるものではなく、本発明の要旨を逸脱しない範囲において適宜変更可能である。
【００６０】
例えば、操作表示部に代えて、スイッチ等の操作部と液晶パネル等の表示部とを別々に上部ユニットに設けてもよい。この場合、排紙トレイが少なくとも操作部を覆うようにすることで、装置の誤操作や誤動作等を防止できる。
【図面の簡単な説明】
【００６１】
【図１】本発明の第１の実施形態である画像読取装置を説明するための概略断面図である。
【図２】図１に示す画像読取装置の上部ユニットを開回動させて搬送路を開放した状態を示す概略断面図である。
【図３】上部ユニットの開回動動作に連動させて排紙トレイを上部ユニットに近づく方向に回動させる連動機構を説明するための説明図である。
【図４】本発明の第２の実施形態である画像読取装置を説明するための外観斜視図である。
【図５】図４に示す画像読取装置の上部ユニットを開回動させて搬送路を開放した状態を示す外観斜視図である。
【図６】図５の状態での画像読取装置の概略断面図である。
【図７】従来の画像読取装置の一例を説明するための概略断面図である。
【符号の説明】
【００６２】
１      画像読取装置
２      搬送路
３      下部ユニット
３ａ    前端部
４      上部ユニット
６      排紙トレイ
６ａ    回転軸
６ｂ    アーム部
７      ヒンジ
１２    画像読取部
１３    画像読取部
１４    液晶パネル
１５    タッチパネル
１６    ギア部
１７    ギア部
【図１】
2008265887.tif 000003
【図２】
2008265887.tif 000004
【図３】
2008265887.tif 000005
【図４】
2008265887.tif 000006
【図５】
2008265887.tif 000007
【図６】
2008265887.tif 000008
【図７】
2008265887.tif 000009